(57)【要約】【課題】撮影者が自らを撮影する場合にキャプチャした画像を撮影者に見せたり、キャプチャした画像を撮影者及び被撮影者へ同時に見せたりすることができる撮像装置を提供する。【解決手段】撮像装置は、オーディオビデオキャプチャ機構１及び出力機構２を備える。出力機構２は、オーディオビデオキャプチャ機構１の側部に可動可能に接続され、オーディオビデオキャプチャ機構１にそれぞれ接続された第１の表示ユニット２１及び第２の表示ユニット２２を両面に有する。【選択図】図１
0003162255.tif 000002
【実用新案登録請求の範囲】
【請求項１】
オーディオビデオキャプチャ機構及び出力機構を備える撮像装置であって、
前記出力機構は、前記オーディオビデオキャプチャ機構の側部に可動可能に接続され、前記オーディオビデオキャプチャ機構にそれぞれ接続された第１の表示ユニット及び第２の表示ユニットを両面に有することを特徴とする撮像装置。
【請求項２】
前記オーディオビデオキャプチャ機構は、ハウジングと、前記ハウジングの中に配置されたオーディオビデオ処理ユニットと、前記ハウジングの一端に設けられ、前記オーディオビデオ処理ユニットに接続された画像キャプチャユニットと、前記ハウジングの一端に設けられ、前記オーディオビデオ処理ユニットに接続された音声出入力ユニットと、前記ハウジング上に配置され、前記オーディオビデオ処理ユニットに接続された操作ユニットと、前記ハウジングの中に配置され、前記オーディオビデオ処理ユニットに接続された電源供給ユニットと、前記ハウジングの一端に設けられ、前記オーディオビデオ処理ユニットに接続された記憶ユニットと、を有することを特徴とする請求項１に記載の撮像装置。
【請求項３】
前記出力機構は、カバーと、前記カバーの側部に設けられ、前記オーディオビデオキャプチャ機構に接続された回転軸と、前記カバーの両面上にそれぞれ設けられたウィンドウ部と、を有し、
前記第１の表示ユニット及び前記第２の表示ユニットのそれぞれは、前記カバーの両面上の前記ウィンドウ部に対応するように配置されたタッチパネル又は液晶表示パネルであることを特徴とする請求項１に記載の撮像装置。
【考案の詳細な説明】
【技術分野】
【０００１】
本考案は、撮像装置に関し、特に、撮影者が自らを撮影する際、キャプチャした画像を撮影者に見せたり、キャプチャした画像を撮影者及び被撮影者へ同時に見せたりすることができる撮像装置に関する。
【背景技術】
【０００２】
従来の撮像装置は、撮像機と、撮像機の側部へ可動可能に設けられた表示モニタと、を含む。従来の撮像装置は、使用する際、折り畳まれた状態の表示モニタを撮像機の側部から開き、撮像機により、必要なオーディオビデオをキャプチャ（又は再生）することができる上、撮影する際、撮影者が見ることができるように、キャプチャした画像を表示モニタにより表示することができる。
【０００３】
しかし、従来の撮像装置は、一般に１つの表示モニタしか備えていないため、撮影者が自らを撮影する場合、自分が撮影している画像を見るために、表示モニタを反転させなければならず不便であった。その上、従来の撮像装置は、表示モニタを１つしか備えていないため、キャプチャした画像を撮影者及び被撮影者へ同時に見せることができないため、実用性が低く、実際に使用する際のニーズを満足させることができなかった。
【０００４】
そのため、撮影者が自らを撮影する際、キャプチャした画像を撮影者に見せたり、キャプチャした画像を撮影者及び被撮影者へ同時に見せたりすることができる撮像装置が求められていた。
【考案の概要】
【考案が解決しようとする課題】
【０００５】
本考案の目的は、撮影者が自らを撮影する場合にキャプチャした画像を撮影者に見せたり、キャプチャした画像を撮影者及び被撮影者へ同時に見せたりすることができる撮像装置を提供することにある。
【課題を解決するための手段】
【０００６】
上記課題を解決するために、本考案の第１の形態によれば、オーディオビデオキャプチャ機構及び出力機構を備える撮像装置であって、前記出力機構は、前記オーディオビデオキャプチャ機構の側部に可動可能に接続され、前記オーディオビデオキャプチャ機構にそれぞれ接続された第１の表示ユニット及び第２の表示ユニットを両面に有することを特徴とする撮像装置が提供される。
【０００７】
また、前記オーディオビデオキャプチャ機構は、ハウジングと、前記ハウジングの中に配置されたオーディオビデオ処理ユニットと、前記ハウジングの一端に設けられ、前記オーディオビデオ処理ユニットに接続された画像キャプチャユニットと、前記ハウジングの一端に設けられ、前記オーディオビデオ処理ユニットに接続された音声出入力ユニットと、前記ハウジング上に配置され、前記オーディオビデオ処理ユニットに接続された操作ユニットと、前記ハウジングの中に配置され、前記オーディオビデオ処理ユニットに接続された電源供給ユニットと、前記ハウジングの一端に設けられ、前記オーディオビデオ処理ユニットに接続された記憶ユニットと、を有することが好ましい。
【０００８】
また、前記出力機構は、カバーと、前記カバーの側部に設けられ、前記オーディオビデオキャプチャ機構に接続された回転軸と、前記カバーの両面上にそれぞれ設けられたウィンドウ部と、を有し、前記第１の表示ユニット及び前記第２の表示ユニットのそれぞれは、前記カバーの両面上の前記ウィンドウ部に対応するように配置されたタッチパネル又は液晶表示パネルであることが好ましい。
【考案の効果】
【０００９】
本考案の撮像装置は、撮影者が自らを撮影する場合にキャプチャした画像を撮影者に見せたり、キャプチャした画像を撮影者及び被撮影者へ同時に見せたりすることができる。
【図面の簡単な説明】
【００１０】
【図１】本考案の一実施形態による撮像装置を示す分解斜視図である。
【図２】本考案の一実施形態による撮像装置を示す分解斜視図である。
【図３】本考案の一実施形態による撮像装置を示す斜視図である。
【図４】本考案の一実施形態による撮像装置を使用するときの状態を示す模式図である。
【図５】本考案の一実施形態による撮像装置を使用するときの状態を示す模式図である。
【考案を実施するための形態】
【００１１】
以下、本考案の実施形態について図に基づいて説明する。なお、これによって本考案が限定されるものではない。
【００１２】
図１〜図３を参照する。図１〜図３に示すように、本考案の一実施形態による撮像装置は、オーディオビデオキャプチャ機構１及び出力機構２を含む。
【００１３】
上述のオーディオビデオキャプチャ機構１は、ハウジング１１と、ハウジング１１の中に配置されたオーディオビデオ処理ユニット１２と、ハウジング１１の一端に設けられ、オーディオビデオ処理ユニット１２に接続された画像キャプチャユニット１３と、ハウジング１１の一端に設けられ、オーディオビデオ処理ユニット１２に接続された音声出入力ユニット１４と、ハウジング１１上に配置され、オーディオビデオ処理ユニット１２に接続された操作ユニット１５と、ハウジング１１の中に配置され、オーディオビデオ処理ユニット１２に接続された電源供給ユニット１６と、ハウジング１１の一端に設けられ、オーディオビデオ処理ユニット１２に接続された記憶ユニット１７と、を含む。
【００１４】
出力機構２は、オーディオビデオキャプチャ機構１の側部に可動可能に接続され、オーディオビデオキャプチャ機構１にそれぞれ接続された第１の表示ユニット２１及び第２の表示ユニット２２を両面に有する。出力機構２は、カバー２０と、カバー２０の側部に設けられ、オーディオビデオキャプチャ機構１のハウジング１１に接続された回転軸２３と、カバー２０の両面上にそれぞれ設けられたウィンドウ部２０１，２０２と、を含む。第１の表示ユニット２１及び第２の表示ユニット２２のそれぞれは、カバー２０の両面上のウィンドウ部２０１，２０２に対応するように配置されたタッチパネル又は液晶表示パネルでもよい。
【００１５】
図４及び図５を参照する。図４及び図５に示すように、本実施形態の撮像装置を実際に使用する際は（図１〜図３を同時に参照する）、カバー２０の側部に設けた回転軸２３を利用し、オーディオビデオキャプチャ機構１のハウジング１１の側部から、出力機構２を折り畳んだ状態から開き（本実施形態の出力機構２は、回転軸２３を利用し、折り畳んだ状態から開くが、ここでは詳しく述べない）、電源供給ユニット１６により操作に必要な電源を供給し、操作ユニット１５、画像キャプチャユニット１３、音声出入力ユニット１４及び記憶ユニット１７と、オーディオビデオ処理ユニット１２とを組み合わせて用い、必要なオーディオビデオをキャプチャして保存したり、読み出して再生したりすることができる。実際に撮影する際は、オーディオビデオキャプチャ機構１のオーディオビデオ処理ユニット１２を介し、キャプチャした画像を第１の表示ユニット２１又は第２の表示ユニット２２により表示する。撮影者が、自らを撮影する場合は、撮影者が見えるように、キャプチャした画像を第２の表示ユニット２２により表示する。また、キャプチャした画像を撮影者及び被撮影者へ同時に見せる場合には、キャプチャした画像を第１の表示ユニット２１及び第２の表示ユニット２２により表示する。
【００１６】
上述したことから分かるように、本考案の撮像装置は、撮影する際、第１の表示ユニット及び第２の表示ユニットのそれぞれによりキャプチャした画像を表示することができる。これにより、撮影者が自らを撮影する場合、キャプチャした画像を撮影者に見せたり、キャプチャした画像を撮影者及び被撮影者へ同時に見せたりすることができる。
【００１７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１８】
１      オーディオビデオキャプチャ機構
２      出力機構
１１    ハウジング
１２    オーディオビデオ処理ユニット
１３    画像キャプチャユニット
１４    音声出入力ユニット
１５    操作ユニット
１６    電源供給ユニット
１７    記憶ユニット
２０    カバー
２１    第１の表示ユニット
２２    第２の表示ユニット
２３    回転軸
２０１  ウィンドウ部
２０２  ウィンドウ部
【図１】
0003162255.tif 000003
【図２】
0003162255.tif 000004
【図３】
0003162255.tif 000005
【図４】
0003162255.tif 000006
【図５】
0003162255.tif 000007